(57)【要約】【課題】コネクタハウジングと装着部材との係止を解除する際の作業性を向上させる。【解決手段】コネクタハウジング６０には複数のロック部が設けられる。装着部材には各ロック部７４、７９と係止可能な複数のロック片８３、８４が設けられている。解除治具１０は、コネクタハウジング６０への取り付け動作に伴って複数のロック片８３、８４と当接し、これらロック片８３、８４をロック部７４、７９との係止を解除する方向へ一斉に弾性変形させる解除部１２、１３と、コネクタハウジング６０への取り付け時にコネクタハウジング６０の一部に係止固定される固定部１４とを備えている。【選択図】図３
2015222665.tif 000002
【特許請求の範囲】
【請求項１】
コネクタハウジングとそのコネクタハウジングに装着される装着部材のうち、いずれか一方に、複数のロック片が撓み可能に設けられ、他方に、複数のロック部が設けられ、前記複数のロック片がそれぞれ対応する前記ロック部に弾性的に係止されることにより、前記装着部材が前記コネクタハウジングに保持されるようになっているコネクタに適用される解除治具であって、
前記コネクタハウジングへの取り付け動作に伴って前記複数のロック片と当接し、これらロック片を前記ロック部との係止を解除する方向へ一斉に弾性変形させる解除部と、
前記コネクタハウジングへの取り付け時に前記コネクタハウジングの一部に係止固定される固定部とを備えていることを特徴とする解除治具。
【請求項２】
前記コネクタハウジングの一部は、前記コネクタが連結されるブラケットに係止可能なロック突起によって構成されることを特徴とする請求項１記載の解除治具。
【請求項３】
前記解除部には、前記コネクタハウジングへの取り付け過程で、前記コネクタハウジングの外面に設けられたレール部に摺動可能に嵌合するガイド部が設けられていることを特徴とする請求項１又は２記載の解除治具。
【請求項４】
前記解除部と前記固定部とが本体部から突出して設けられるものであり、前記本体部には、指を引っ掛けることが可能な指掛け部が設けられていることを特徴とする請求項１ないし３のいずれか１項記載の解除治具。 
【発明の詳細な説明】
【技術分野】
【０００１】
本発明は、コネクタハウジングと装着部材との係止を解除するための解除治具に関する。
【背景技術】
【０００２】
特許文献１には、互いに嵌合可能な第１、第２ハウジングを備えたコネクタが開示されている。第２ハウジングには、複数のハウジング側嵌合ロック部が設けられている。また、第２ハウジングにはリアホルダ（装着部材）が装着される。リアホルダには、複数のホルダ側嵌合ロック部が撓み可能に設けられている。ハウジング側嵌合ロック部とホルダ側嵌合ロック部とが互いに弾性的に係止されることにより、リアホルダが第２ハウジングに保持されるようになっている。
【０００３】
一方、リアホルダが第２ハウジングに保持された状態で、ホルダ側嵌合ロック部に解除用の治具が当接すると、ホルダ側嵌合ロック部が係止解除方向に弾性変形させられる。これにより、ハウジング側嵌合ロック部とホルダ側嵌合ロック部との係止が解除され、第２ハウジングからリアホルダを引き離すことが可能となっている。
【先行技術文献】
【特許文献】
【０００４】
【特許文献１】特開２０１０−１００１４号公報
【発明の概要】
【発明が解決しようとする課題】
【０００５】
ところで、上記の場合、ホルダ側嵌合ロック部とハウジング側嵌合ロック部との係止を解除する際に、それぞれのホルダ側嵌合ロック部に対し、個別に解除用の治具を係合させねばならないため、作業性が必ずしも良くないという事情があった。また、ホルダ側嵌合ロック部がその弾性復元力によって元の係止状態に復帰しようとするため、ハウジングからリアホルダを引き離すまでの間、ホルダ側嵌合ロック部の弾性復元力に抗して、ホルダ側嵌合ロック部に治具を当接させた状態を維持しなければならないという事情もあった。
【０００６】
本発明は上記のような事情に基づいて完成されたものであって、コネクタハウジングと装着部材との係止を解除する際の作業性を向上させることを目的とする。
【課題を解決するための手段】
【０００７】
本発明は、コネクタハウジングとそのコネクタハウジングに装着される装着部材のうち、いずれか一方に、複数のロック片が撓み可能に設けられ、他方に、複数のロック部が設けられ、前記複数のロック片がそれぞれ対応する前記ロック部に弾性的に係止されることにより、前記装着部材が前記コネクタハウジングに保持されるようになっているコネクタに適用される解除治具であって、前記コネクタハウジングへの取り付け動作に伴って前記複数のロック片と当接し、これらロック片を前記ロック部との係止を解除する方向へ一斉に弾性変形させる解除部と、前記コネクタハウジングへの取り付け時に前記コネクタハウジングの一部に係止固定される固定部とを備えているところに特徴を有する。
【発明の効果】
【０００８】
解除治具がコネクタハウジングに取り付けられる動作に伴い、解除部が複数のロック片と当接し、各ロック片がロック部との係止を解除する方向へ一斉に弾性変形させられるため、解除部で各ロック片を個別に弾性変形させる必要がない。また、解除治具がコネクタハウジングに取り付けられたときに、固定部がコネクタハウジングの一部に係止固定されるため、解除部が各ロック片と当接する間、各ロック片とロック部との係止解除状態が良好に維持される。したがって、本発明の解除治具によれば、コネクタハウジングと装着部材との係止を解除する際の作業性を向上させることができる。
【図面の簡単な説明】
【０００９】
【図１】本発明の実施例において、解除治具がコネクタハウジングに取り付けられた状態をコネクタハウジングの背面から見た図である。
【図２】図１のＡ―Ａ線断面図である。
【図３】図１のＢ−Ｂ線断面図である。
【図４】解除治具がコネクタハウジングに取り付けられた状態をコネクタハウジングの上方から見た図である。
【図５】解除治具がコネクタハウジングに取り付けられた状態をコネクタハウジングの下方から見た図である。
【図６】リアホルダが装着されたコネクタハウジングを背面から見た図である。
【図７】リアホルダが装着されたコネクタハウジングを正面から見た図である。
【図８】リアホルダが装着されたコネクタハウジングを上方から見た図である。
【図９】リアホルダが装着されたコネクタハウジングを下方から見た図である。
【図１０】解除治具を正面から見た図である。
【図１１】解除治具を側面から見た図である。
【図１２】解除治具を上方から見た図である。
【図１３】解除治具を下方から見た図である。
【発明を実施するための形態】
【００１０】
本発明の好ましい形態を以下に示す。  
前記コネクタハウジングの一部は、前記コネクタが連結されるブラケットに係止可能なロック突起によって構成される。これによれば、コネクタハウジングに、解除治具の固定部に係止固定される部分を新設する必要がなく、コネクタハウジングの構成を簡素化することができる。
【００１１】
前記解除部には、前記コネクタハウジングへの取り付け過程で、前記コネクタハウジングの外面に設けられたレール部に摺動可能に嵌合するガイド部が設けられている。これによれば、解除治具がコネクタハウジングに取り付けられる動作の安定性が担保される。
【００１２】
前記解除部と前記固定部とが本体部から突出して設けられるものであり、前記本体部には、指を引っ掛けることが可能な指掛け部が設けられている。これによれば、指掛け部に指を引っ掛けた状態で、コネクタハウジングに対する解除治具の取り付け作業を行うことができるため、解除治具に解除荷重が作用したときに、指が解除治具の表面を滑るのが防止される。その結果、解除作業を容易に行うことができる。
【００１３】
＜実施例＞
本発明の実施例を図１〜図１３によって説明する。本実施例の解除治具１０は、コネクタハウジング６０とそのコネクタハウジング６０に装着される装着部材（後述するリアホルダ８０）との係止を解除するための治具として構成される。解除治具１０は、コネクタハウジング６０に取り付けられる。なお、以下の説明において、前後方向については、解除治具１０のコネクタハウジング６０への取り付け開始時に、コネクタハウジング６０と解除治具１０とが互いに対向する側を前側とする。また、上下方向については、図１〜図３、図６、図７、図１０及び図１１を基準とする。そして、幅方向は、図１、図６、図７及び図１０の左右方向と同義である。
【００１４】
まず、コネクタハウジング６０とリアホルダ８０の構造を説明する。  
コネクタハウジング６０は合成樹脂製であって、図２及び図３に示すように、後方に開口する筒状のハウジング本体６１を有している。ハウジング本体６１の前端部には、バスバー装着部５８が設けられている。バスバー装着部５８には、バスバー６５が圧入又はインサートにより装着される。そして、バスバー６５は、複数のタブ片６４を有している。バスバー６５がバスバー装着部５８に装着されると、各タブ片６４がバスバー装着部５８から後述するキャビティ６３内に突出して配置されるようになっている。
【００１５】
コネクタハウジング６０内には、相手コネクタハウジング６２が嵌合される。相手コネクタハウジング６２には、複数のキャビティ６３が前後に延出して設けられている。各キャビティ６３の内壁下面には、ランス６６が前方へ突出して設けられている。ランス６６は、撓み変形可能とされている。キャビティ６３には、後方から端子金具６７が挿入される。キャビティ６３に正規挿入された端子金具６７は、ランス６６によって弾性的に係止される。これにより、端子金具６７がキャビティ６３に抜け止めされるようになっている。
【００１６】
端子金具６７は、筒状の箱部６８と箱部６８の後方に連なるバレル部６９とを有している。端子金具６７がキャビティ６３に正規挿入されると、箱部６８に、バスバー６５のタブ片６４が挿入される。これにより、端子金具６７がバスバー６５と電気的に接続されるようになっている。また、バレル部６９は、電線７０の端末部に電気的及び機械的に接続されるようになっている。
【００１７】
一方、図７及び図８に示すように、ハウジング本体６１の上面の幅方向略中央部には、係止突起７１が設けられている。また、ハウジング本体６１の上面における係止突起７１を挟んだ幅方向両側には、一対のレール部７２が突出して設けられている。両レール部７２は、前後に延出する形態とされている。図７に示すように、両レール部７２の相互の対向面（内面）には、ガイド溝７３が前後に延出して設けられている。両レール部７２間には、図示しない板状のパネルがスライドして装着される。パネルは両レール部７２間に装着された状態で係止突起７１によって抜け止め状態で係止されるようになっている。
【００１８】
また、図８に示すように、ハウジング本体６１の上面には、一対の第１ロック部７４が突出して設けられている。両第１ロック部７４は、ハウジング本体６１の上面の後端部で、且つ幅方向に関して両レール部７２間に配置されている。両第１ロック部７４は、爪状をなし、幅方向に近接して並んで配置されている。
【００１９】
図３、図７及び図９に示すように、ハウジング本体６１の下面には、ブラケット装着部７５が突出して設けられている。ブラケット装着部７５は、扁平門型状をなし、図３に示すように、前後に貫通するブラケット挿入溝７６を有している。ブラケット装着部７５のうち、ブラケット挿入溝７６の外側（図示下側）を覆う外壁には、その内面からブラケット挿入溝７６に突出するロック突起７７が設けられている。ブラケット装着部７５の外壁は、ロック突起７７を挟んだ両側に、一対のスリット７８が設けられている（図５を参照）。ブラケット装着部７５の外壁のうち、両スリット７８間のロック突起７７を有する部分は、撓み変形可能とされている。
【００２０】
ブラケット装着部７５のブラケット挿入溝７６には、図示しない取付対象の板状のブラケットが挿入される。ブラケットがブラケット挿入溝７６に挿入されると、ブラケットの図示しないロック部分がロック突起７７に弾性的に係止される。これにより、コネクタハウジング６０がブラケットに取り付けられるようになっている。
【００２１】
また、図９に示すように、ハウジング本体６１の下面には、一対の第２ロック部７９が突出して設けられている。両第２ロック部７９は、コネクタハウジング６０の下面の後端部で、且つ幅方向に関してブラケット装着部７５を挟んだ両側に離間して配置されている。第２ロック部７９は、爪状をなし、第１ロック部７４とほぼ同一の形状になっている。
【００２２】
ところで、相手コネクタハウジング６２の後面には、シール部材５０が取り付けられている。詳細は図示しないが、シール部材５０は、相手コネクタハウジング６２から後方に突出する一対の保持片５９（図６を参照）を介して相手コネクタハウジング６２に保持される。そして、シール部材５０は、相手コネクタハウジング６２とともにハウジング本体６１内に挿入される。具体的には、シール部材５０は、シリコンゴム等のゴム製であって、図２に示すように、複数のシール孔５１を有している。シール部材５０がハウジング本体６１内に挿入されると、各シール孔５１が各キャビティ６３と連通して配置されるようになっている。そして、シール部材５０の各シール孔５１には電線７０が液密に挿入される。また、シール部材５０は、ハウジング本体６１の内周面に弾性的に密着される。したがって、シール部材５０を介して、電線７０周りとハウジング本体６１内のシールをとることが可能となっている。
【００２３】
装着部材は、ハウジング本体６１の後端部に装着されるリアホルダ８０として構成される。リアホルダ８０は合成樹脂製であって、図６に示すように、幅方向に長い板状のホルダ本体８１を有している。
【００２４】
図２及び図３に示すように、リアホルダ８０がハウジング本体６１に装着されると、ホルダ本体８１がハウジング本体６１内に進入してシール部材５０の後面に当接可能に配置される。これにより、シール部材５０及び相手コネクタハウジング６２がハウジング本体６１内から後方へ抜け出るのが防止されるようになっている。
【００２５】
図６に示すように、ホルダ本体８１は、複数の貫通孔８２を有している。リアホルダ８０がコネクタハウジング６０に装着されると、各貫通孔８２が各シール孔５１と連通して配置されるようになっている。ここで、端子金具６７は、貫通孔８２からシール孔５１を経てキャビティ６３に挿入される。端子金具６７がキャビティ６３に正規挿入されると、貫通孔８２に電線７０が遊嵌して配置されるようになっている。
【００２６】
ホルダ本体８１の後部の外周面には、複数のロック片８３、８４が突出して設けられている。図２に示すように、各ロック片８３、８４は、ホルダ本体８１の後部の外周面から一旦起立したあと前方へ突出する形態とされている。図６に示すように、各ロック片８３、８４は、ホルダ本体８１の上面の幅方向略中央部に設けられる第１ロック片８３と、ホルダ本体８１の下面の幅方向両端部に設けられる一対の第２ロック片８４とからなる。
【００２７】
図６及び図８に示すように、第１ロック片８３には、一対の第１ロック孔８５が貫通して設けられている。両第１ロック孔８５は、幅方向に並んで配置されている。一方、図５及び図６に示すように、両第２ロック片８４には、それぞれ個別に第２ロック孔８６が貫通して設けられている。
【００２８】
リアホルダ８０がハウジング本体６１に装着される過程では、第１ロック片８３がハウジング本体６１の両第１ロック部７４と干渉し、第１ロック片８３が上方へ弾性変形させられる。同様に、両第２ロック片８４がハウジング本体６１の両第２ロック部７９と干渉し、両第２ロック片８４が下方へ弾性変形させられる。
【００２９】
その後、リアホルダ８０がハウジング本体６１に装着されると、第１ロック片８３が弾性的に復帰して、第１ロック片８３の両第１ロック孔８５に、それぞれ対応する第１ロック部７４が嵌り込む。同様に、両第２ロック片８４が弾性的に復帰して、両第２ロック片８４の第２ロック孔８６に、それぞれ対応する第２ロック部７９が嵌り込む。これにより、リアホルダ８０がハウジング本体６１に離脱規制された状態で保持される。また、リアホルダ８０がハウジング本体６１に保持されるに伴い、相手コネクタハウジング６２とコネクタハウジング６０とが互いに嵌合状態に保持される。
【００３０】
続いて、解除治具１０の構造について説明する。解除治具１０は合成樹脂製であって、図１０〜図１３に示すように、正面視矩形の板壁状をなす本体部１１と、本体部１１の前面から前方に突出して配置される複数の解除部１２、１３と、同じく本体部１１の前面から前方に突出して配置される固定部１４とを有している。
【００３１】
図１０及び図１１に示すように、本体部１１の上下両端面の幅方向略中央には、一対の指掛け部１５が互いに反対方向（上下方向）に突出して設けられている。両指掛け部１５は、正面略矩形の板壁状をなしている。そして、図１１に示すように、両指掛け部１５は、突出端へ向けて次第に前後厚みを増加させる形態になっている。具体的には、両指掛け部１５の前面が突出端へ向けて前傾する斜面１６になっている。
【００３２】
図１０に示すように、本体部１１の前面には、有底の凹部１７が設けられている。凹部１７は、本体部１１の前面の周縁部１８を除く部分に広範に設けられている。  
図１０に示すように、複数の解除部１２、１３は、本体部１１の前面の周縁部１８のうち、上端部の幅方向略中央部に設けられる第１解除部１２と、下端部の幅方向両端部に設けられる一対の第２解除部１３とからなる。
【００３３】
図１０〜図１３に示すように、第１解除部１２は、本体部１１の前面から前方へ突出する略角柱状の第１突出部１９と、第１突出部１９の前端面の下端縁における幅方向両端部から前方へ突出する一対の第１解除本体２１とを有している。第１突出部１９の幅方向両端面の下端縁には、一対のガイド部２２が設けられている。両ガイド部２２は、前後方向に延出するリブ状の形態とされている。両ガイド部２２は、後端が本体部１１の前面に一体に連結され、前端が第１突出部１９の前端よりも後方へ控えた位置に配置されている。図１３に示すように、第１突出部１９の下面には、逃がし溝２３が凹設されている。逃がし溝２３は、前後に延出して第１突出部１９の前端の幅方向略中央部（両第１解除本体２１間）に開口する形態とされている。
【００３４】
図１０に示すように、両第１解除本体２１は、幅方向に沿った薄板状をなしている。また、両第１解除本体２１の前端の幅方向外側には、それぞれ、第１傾斜突起２４が前方に突出して設けられている。図１１に示すように、第１傾斜突起２４の前面には、上向きに傾斜する第１テーパ面２５が設けられている。
【００３５】
図１１〜図１３に示すように、両第２解除部１３の前後長さ（本体部１１の前面からの突出量）は、第１解除部１２の前後長さとほぼ同一とされている。また、図１０、図１２及び図１３に示すように、両第２解除部１３のそれぞれの幅寸法は、第１解除部１２の幅寸法よりも小さくされている。そして、図１０〜図１３に示すように、両第２解除部１３は、本体部１１の前面から前方へ突出する略角筒状の第２突出部２６と、第２突出部２６の前端面の上端縁から前方へ突出する第２解除本体２７とを有している。第２解除本体２７は、幅方向に沿った薄板状をなしている。また、図１０及び図１３に示すように、第２解除本体２７の前端の幅方向両端部には、一対の第２傾斜突起２８が前方へ突出して設けられている。図１１に示すように、第２傾斜突起２８の前面には、下向きに傾斜する第２テーパ面２９が設けられている。
【００３６】
図１０及び図１３に示すように、固定部１４は、幅方向に沿った薄板状をなしている。そして、固定部１４は、本体部１１の前面に連結される基端部を支点として撓み変形可能とされている。また、固定部１４は、両第２解除部１３間に配置され、図１１に示すように、側面視では第２解除部１３に隠れて見えなくなる。固定部１４の幅寸法は、第１解除部１２の幅寸法よりも小さく、且つ第２解除部１３の幅寸法よりも大きくされている。図１３に示すように、固定部１４には、底面視略矩形の固定孔３０が貫通して設けられている。
【００３７】
次に、本実施例の解除治具１０の使用方法等について説明する。  
既述したように、リアホルダ８０がコネクタハウジング６０のハウジング本体６１に装着されると、第１ロック片８３が第１ロック部７４に弾性的に係止され、且つ、両第２ロック片８４が両第２ロック部７９に弾性的に係止される。
【００３８】
その後、メンテナンス等の事情によりコネクタハウジング６０から相手コネクタハウジング６２を取り外す必要がある場合に、本実施例の解除治具１０が使用される。使用に際し、まず、解除治具１０の本体部１１がコネクタハウジング６０の前面と対面した状態から、解除治具１０の両ガイド部２２がコネクタハウジング６０の両レール部７２のガイド溝７３に嵌合状態で挿入される。さらに、解除治具１０がコネクタハウジング６０の後端側へ向けて押し込まれる。すると、両ガイド部２２が両レール部７２のガイド溝７３を摺動し、解除治具１０がコネクタハウジング６０に円滑にスライドして移動させられる（図４を参照）。また、解除治具１０がスライドして移動させられると、解除治具１０の固定部１４がコネクタハウジング６０のブラケット装着部７５のブラケット挿入溝７６に挿入される。そして、解除治具１０の移動過程においては、コネクタハウジング６０の係止突起７１が第１解除部１２の両第１解除本体２１間及び逃がし溝２３に進入して、係止突起７１と第１解除部１２とが互いに干渉するのが回避される（図３、図４を参照）。
【００３９】
解除治具１０がコネクタハウジング６０に正規に取り付けられると、凹部１７にコネクタハウジング６０の前端部が嵌合状態で進入する（図１〜図３を参照）。また、解除治具１０の第１解除部１２の両第１傾斜突起２４が第１ロック片８３の前端部とハウジング本体６１の上面との間に分け入るように進入する（図２を参照）。すると、第１ロック片８３の前端が第１傾斜突起２４の第１テーパ面２５を摺動し、第１ロック片８３が上方（第１ロック部７４との係止を解除する方向）へ弾性的に撓み変形させられる。
【００４０】
上述の第１解除部１２が第１ロック片８３と当接するのとほぼ同じタイミングで、解除治具１０の両第２解除部１３の第２傾斜突起２８が両第２ロック片８４の前端部とハウジング本体６１の下面との間に分け入るように進入する（図３を参照）。すると、両第２ロック片８４の前端が両第２傾斜突起２８の第２テーパ面２９を摺動し、両第２ロック片８４が下方（第２ロック部７９との係止を解除する方向）へ弾性的に撓み変形させられる。かくして、第１ロック片８３と第１ロック部７４との係止が第１解除部１２によって解除されるのと同時に、両第２ロック片８４と両第２ロック部７９との係止が第２解除部１３によって解除される。
【００４１】
また、解除治具１０がコネクタハウジング６０に正規に取り付けられると、ブラケット装着部７５のロック突起７７が固定部１４の固定孔３０に弾性的に嵌り込む（図３を参照）。このため、解除治具１０が各ロック片８３、８４の弾性復元力によって押し戻されるのが防止される。したがって、固定部１４がロック突起７７に係止され、且つ、各ロック片８３、８４が各ロック部７４、７９との係止を解除して弾性変形した状態で、コネクタハウジング６０からリアホルダ８０を引き離すことにより、コネクタハウジング６０から相手コネクタハウジング６２を容易に取り外すことができる。その後、固定部１４とロック突起７７との係止を強制的に解除することにより、コネクタハウジング６０から解除治具１０を取り外すことも可能となる。なお、上述した解除治具１０の移動操作を行う際、作業者の指は、両指掛け部１５に掛け止められる。とくに、本実施例の場合、固定部１４がロック突起７７に係止されるまでの間、各ロック片８３、８４が弾性変形したときに、解除治具１０に対してコネクタハウジング６０から押し戻す方向への離反力が作用するため、該離反力に抗して両指掛け部１５を指で支持することのメリットが大となる。
【００４２】
以上説明したように、本実施例によれば、解除治具１０がコネクタハウジング６０に取り付けられる動作に伴い、各解除部１２、１３が各ロック片８３、８４と当接し、各ロック片８３、８４が各ロック部７４、７９との係止を解除する方向へ一斉に弾性変形させられるため、各解除部１２、１３で各ロック片８３、８４を個別に弾性変形させる必要がない。また、解除治具１０がコネクタハウジング６０に取り付けられたときに、固定部１４がコネクタハウジング６０のブラケット装着部７５のロック突起７７に弾性的に係止固定されるため、各解除部１２、１３が各ロック片８３、８４と当接する間、各ロック片８３、８４と各ロック部７４、７９との係止解除状態が良好に維持される。したがって、本実施例の解除治具１０によれば、コネクタハウジング６０とリアホルダ８０との係止を解除する際の作業性を向上させることができる。
【００４３】
また、解除治具１０がコネクタハウジング６０に取り付けられる過程で、両ガイド部２２が両レール部７２に摺動可能に嵌合するため、解除治具１０がリアホルダ８０に取り付けられる動作の安定性が担保される。
【００４４】
さらに、両指掛け部１５に作業者の指を引っ掛けた状態で、コネクタハウジング６０に対する解除治具１０の取り付け作業を行うことができるため、解除治具１０に解除荷重が作用したときに、作業者の指が解除治具１０の表面を滑るのが防止される。その結果、解除治具１０による解除作業を容易且つ安定に行うことができる。
【００４５】
＜他の実施例＞
以下、本発明の他の実施例を簡単に説明する。  
（１）上述した本実施例とは逆に、撓み可能なロック片がコネクタハウジングに設けられ、ロック部が装着部材（リアホルダ）に設けられるものであってもよい。  
（２）コネクタハウジングに装着される装着部材は、リテーナであってもよい。また、本実施例のリアホルダに相当する部材を有しない場合、コネクタハウジングに装着される装着部材は、嵌合相手の相手コネクタハウジングであってもよい。  
（３）各解除部が各ロック片と当接し、各ロック片が各ロック部との係止を解除する方向へ弾性変形させられる時期は、必ずしも厳密に同じタイミングでなくてもよい。  
（４）固定部は、コネクタハウジングのうちブラケット装着部のロック突起以外の部分に係止固定される構成であってもよい。この場合、固定部に係止固定される部分がコネクタハウジングに既存の構造であると、コネクタハウジングの構成を簡素化できるため好ましい。  
（５）解除部は、個別に独立して設けられることなく、複数のロック片に対し一度に当接可能な一つの部分からなるものであってもよい。
【符号の説明】
【００４６】
１０…解除治具
１１…本体部
１２…第１解除部（解除部）
１３…第２解除部（解除部）
１４…固定部
１５…指掛け部
２２…ガイド部
６０…コネクタハウジング
６２…相手コネクタハウジング
７２…レール部
７４…第１ロック部（ロック部）
７７…ロック突起
７９…第２ロック部（ロック部）
８０…リアホルダ（装着部材）
８３…第１ロック片（ロック片）
８４…第２ロック片（ロック片） 
【図１】
2015222665.tif 000003
【図２】
2015222665.tif 000004
【図３】
2015222665.tif 000005
【図４】
2015222665.tif 000006
【図５】
2015222665.tif 000007
【図６】
2015222665.tif 000008
【図７】
2015222665.tif 000009
【図８】
2015222665.tif 000010
【図９】
2015222665.tif 000011
【図１０】
2015222665.tif 000012
【図１１】
2015222665.tif 000013
【図１２】
2015222665.tif 000014
【図１３】
2015222665.tif 000015